(57)【要約】【課題】効率よく空調を行うことができる建物の空調システムを提供する。【解決手段】住宅は、建物本体とその上方に配設された屋根部１３とを備える。住宅には屋内空間が形成され、屋内空間としては、建物本体に形成された下側空間部と、屋根裏部分１８に形成された上側空間部とを有する。上側空間部としては、リビング空間２１ａの一部となるリビング上空間３９（第２上側空間部）と、収納室２９を含んでなる第１上側空間部とを有する。第１空調装置６１に接続された複数の給気ダクト６６には、第１上側空間部へ空調空気を搬送する給気ダクト６６が含まれ、第２空調装置７１に接続された複数の給気ダクト７６には、第２上側空間部へ空調空気を搬送する給気ダクト７６が含まれている。【選択図】図３
2017058073.tif 000002
【特許請求の範囲】
【請求項１】
建物本体と、その上方に配設された屋根部とを備え、
屋内空間として、前記建物本体に形成された下側空間部と、前記建物本体よりも上方の屋根裏部分に形成され前記下側空間部と連続する上側空間部とを備え、
前記上側空間部として、互いに隔てて設けられた第１上側空間部及び第２上側空間部を有する建物に適用され、
前記建物には、空調空気を生成する空調装置として、第１空調装置及び第２空調装置が設けられ、それら各空調装置により前記屋内空間の空調を行う空調システムであって、
前記第１空調装置より供給される空調空気を空調対象となる前記屋内空間へと搬送する複数の第１ダクトと、
前記第２空調装置より供給される空調空気を空調対象となる前記屋内空間へと搬送する複数の第２ダクトとを備え、
前記第１ダクトによる空調空気の搬送先には、前記第１上側空間部が含まれており、
前記第２ダクトによる空調空気の搬送先には、前記第２上側空間部が含まれていることを特徴とする建物の空調システム。
【請求項２】
前記屋根裏部分には、前記建物本体に設けられた天井部により前記下側空間部と上下に区画された屋根裏空間が形成されており、
前記屋根裏空間は、前記第１上側空間部の周囲を囲む第１周囲壁と、前記第２上側空間部の周囲を囲む第２周囲壁とにより区画されており、
前記屋根裏空間には、前記第１空調装置と前記第２空調装置とがそれぞれ設けられ、
前記第１ダクトを通じて搬送される空調空気を吹き出す第１吹出部と、
前記第２ダクトを通じて搬送される空調空気を吹き出す第２吹出部とを備え、
前記第１吹出部は、前記下側空間部の前記天井部と、前記第１上側空間部の前記第１周囲壁とにそれぞれ設けられ、
前記第２吹出部は、前記下側空間部の前記天井部と、前記第２上側空間部の前記第２周囲壁とにそれぞれ設けられていることを特徴とする請求項１に記載の建物の空調システム。
【請求項３】
前記屋根裏空間は、
前記第１周囲壁を囲むように設定された第１エリアと、
前記第２周囲壁を囲むように設定された第２エリアとに区分けされており、
前記第１エリアに前記第１空調装置と前記各第１吹出部とが配置され、
前記第２エリアに前記第２空調装置と前記各第２吹出部とが配置されていることを特徴とする請求項２に記載の建物の空調システム。
【請求項４】
前記屋根裏空間には、
前記第１周囲壁と前記第２周囲壁とが並ぶ並び方向における前記第２周囲壁よりも前記第１周囲壁側の領域に前記第１空調装置と前記各第１吹出部とが配置され、
前記並び方向における前記第１周囲壁よりも前記第２周囲壁側の領域に前記第２空調装置と前記各第２吹出部とが配置されていることを特徴とする請求項２又は３に記載の建物の空調システム。
【請求項５】
前記空調装置を点検すべく、前記屋内空間から前記屋根裏空間へ出入りする際に用いる点検口が１つだけ設けられていることを特徴とする請求項２乃至４のいずれか一項に記載の建物の空調システム。
【請求項６】
前記下側空間部から前記第１上側空間部へ通じる階段が設置されており、
前記点検口は、前記第１上側空間部を囲む前記第１周囲壁に設けられていることを特徴とする請求項５に記載の建物の空調システム。
【発明の詳細な説明】
【技術分野】
【０００１】
本発明は、建物の空調システムに関する。
【背景技術】
【０００２】
住宅等の建物において、共通の空調装置を用いて全館空調を行う全館空調システムが知られている。例えば特許文献１には、２つの空調装置を用いて同一階にある複数の屋内空間を対象に空調を行う空調システムが開示されている。この空調システムでは、各空調装置ごとに空調対象となる屋内空間を割り当てて、その割り当てた屋内空間を各々の空調装により空調を行う構成となっている。
【０００３】
ところで、建物は、建物本体と、その上方に配設される屋根部とを備えて構成されている。こうした建物において、建物本体と屋根部とに上下に跨がるようにして吹き抜け空間が設けられている場合がある。この場合、建物の屋根裏部分を利用して屋内空間の拡張を図ることができる。また、屋根裏部分の利用を図ったものとしては、その他に、当該屋根裏部分に収納室が設けられたものがある。このような収納室はいわゆる小屋裏収納室と呼ばれるものであり、この収納室へは階段室に設けられた階段を通じて出入りすることになる。また、かかる収納室は階段室を介して建物本体内の屋内空間と連続していることが多い。
【先行技術文献】
【特許文献】
【０００４】
【特許文献１】特開２０１４−１９０６６６号公報
【発明の概要】
【発明が解決しようとする課題】
【０００５】
ここで、屋根裏に屋内空間を有する上述の建物では、その屋内空間が屋根下にあることから屋外からの熱の影響を受け易くなっていると考えられる。特に、屋根裏にかかる屋内空間が複数設けられている場合（例えば吹き抜け空間と小屋裏収納室とが設けられている場合等）には、屋外からの熱の影響を大きく受けることになると考えられる。そのため、そのような建物においては、空調装置により空調を行うに際し空調負荷が大きくなることが想定される。
【０００６】
そこで、このように屋根裏に複数の屋内空間を有する建物に対して、上記特許文献１の空調システムを適用することが考えられる。すなわち、２つの空調装置を用いて建物内の空調を行うことが考えられる。この場合、屋根裏の各屋内空間も含めて、各空調装置ごとに空調対象となる屋内空間を割り振ることが考えられる。しかしながら、その場合、その割り振り方によっては一方の空調装置の空調負荷が他方の空調装置よりも極端に高くなる等、効率のよい空調を行うことができないおそれがある。
【０００７】
本発明は、上記事情に鑑みてなされたものであり、効率よく空調を行うことができる建物の空調システムを提供することを主たる目的とするものである。
【課題を解決するための手段】
【０００８】
上記課題を解決すべく、第１の発明の建物の空調システムは、建物本体と、その上方に配設された屋根部とを備え、屋内空間として、前記建物本体に形成された下側空間部と、前記建物本体よりも上方の屋根裏部分に形成され前記下側空間部と連続する上側空間部とを備え、前記上側空間部として、互いに隔てて設けられた第１上側空間部及び第２上側空間部を有する建物に適用され、前記建物には、空調空気を生成する空調装置として、第１空調装置及び第２空調装置が設けられ、それら各空調装置により前記屋内空間の空調を行う空調システムであって、前記第１空調装置より供給される空調空気を空調対象となる前記屋内空間へと搬送する複数の第１ダクトと、前記第２空調装置より供給される空調空気を空調対象となる前記屋内空間へと搬送する複数の第２ダクトとを備え、前記第１ダクトによる空調空気の搬送先には、前記第１上側空間部が含まれており、前記第２ダクトによる空調空気の搬送先には、前記第２上側空間部が含まれていることを特徴とする。
【０００９】
屋根裏部分に設けられた上側空間部は屋根下にあることから屋外からの熱の影響を受け易いと考えられる。そのため、上側空間部を空調対象に含めて空調装置による空調を行う際には空調負荷が大きくなることが想定される。その点本発明では、各上側空間部のうち第１上側空間部には第１空調装置より第１ダクトを通じて空調空気を供給し、第２上側空間部には第２空調装置より第２ダクトを通じて空調空気を供給するようにしている。つまり、本発明では、各上側空間部をそれぞれ別々の空調装置により空調を行う構成としている。この場合、一方の空調装置に過大な空調負荷がかかるのを回避することができるため、効率のよい空調を行うことが可能となる。
【００１０】
第２の発明の建物の空調システムは、第１の発明において、前記屋根裏部分には、前記建物本体に設けられた天井部により前記下側空間部と上下に区画された屋根裏空間が形成されており、前記屋根裏空間は、前記第１上側空間部の周囲を囲む第１周囲壁と、前記第２上側空間部の周囲を囲む第２周囲壁とにより区画されており、前記屋根裏空間には、前記第１空調装置と前記第２空調装置とがそれぞれ設けられ、前記第１ダクトを通じて搬送される空調空気を吹き出す第１吹出部と、前記第２ダクトを通じて搬送される空調空気を吹き出す第２吹出部とを備え、前記第１吹出部は、前記下側空間部の前記天井部と、前記第１上側空間部の前記第１周囲壁とにそれぞれ設けられ、前記第２吹出部は、前記下側空間部の前記天井部と、前記第２上側空間部の前記第２周囲壁とにそれぞれ設けられていることを特徴とする。
【００１１】
本発明によれば、第１空調装置と第２空調装置とがいずれも屋根裏空間に設置されている。また、第１空調装置より供給される空調空気の各吹出部（各第１吹出部）が屋根裏空間に面した天井部及び第１周囲壁にそれぞれ設けられ、また第２空調装置より供給される空調空気の各吹出部（各第２吹出部）が屋根裏空間に面した天井部及び第２周囲壁にそれぞれ設けられている。この場合、空調装置と各吹出部とをつなぐ複数のダクト（第１ダクト、第２ダクト）を屋根裏空間に集約して配設することができるため、下側空間部と上側空間部との双方に空調空気を搬送し空調を行う上記の構成にあって、ダクトの取り回しをし易くすることができる。
【００１２】
第３の発明の建物の空調システムは、第２の発明において、前記屋根裏空間は、前記第１周囲壁を囲むように設定された第１エリアと、前記第２周囲壁を囲むように設定された第２エリアとに区分けされており、前記第１エリアに前記第１空調装置と前記各第１吹出部とが配置され、前記第２エリアに前記第２空調装置と前記各第２吹出部とが配置されていることを特徴とする。
【００１３】
屋根裏空間が第１周囲壁と第２周囲壁とにより区画されている上述の構成では、各周囲壁によってダクトの配設態様に制約が生じることが想定される。例えば、屋根裏空間において周囲壁の周りは比較的狭小となっているため、そこに第１ダクトと第２ダクトとが並ぶとダクトの配設が困難になるといった問題が発生すると考えられる。そこで本発明では、この点に鑑み、屋根裏空間を、第１周囲壁を囲む第１エリアと、第２周囲壁を囲む第２エリアとに区分けし、第１エリアに第１空調装置と各第１吹出部とを配置し、第２エリアに第２空調装置と各第２吹出部とを配置している。この場合、各第１ダクトについては第１エリアに配置され、各第２ダクトについては第２エリアに配置されることになるため、第１ダクトと第２ダクトとが周囲壁の周りで並んで配置される事態を生じにくくすることができる。これにより、ダクトの取り回しを含めた空調設計の容易化を図ることができる。
【００１４】
第４の発明の建物の空調システムは、第２又は第３の発明において、前記屋根裏空間には、前記第１周囲壁と前記第２周囲壁とが並ぶ並び方向における前記第２周囲壁よりも前記第１周囲壁側の領域に前記第１空調装置と前記各第１吹出部とが配置され、前記並び方向における前記第１周囲壁よりも前記第２周囲壁側の領域に前記第２空調装置と前記各第２吹出部とが配置されていることを特徴とする。
【００１５】
本発明によれば、屋根裏空間において第２周囲壁よりも第１周囲壁側の領域に第１空調装置と各第１吹出部とが配置され、第１周囲壁よりも第２周囲壁側の領域に第２空調装置と各第２吹出部とが配置されている。この場合、上記第３の発明と同様に、第１ダクトと第２ダクトとが周囲壁の周りで並んで配置される事態を生じにくくすることができ、その結果空調設計の容易化を図ることができる。
【００１６】
第５の発明の建物の空調システムは、第２乃至第４のいずれかの発明において、前記空調装置を点検すべく、前記屋内空間から前記屋根裏空間へ出入りする際に用いる点検口が１つだけ設けられていることを特徴とする。
【００１７】
本発明によれば、第１空調装置と第２空調装置とがいずれも屋根裏空間に設置されているため、屋根裏空間へ出入りする際に用いる点検口を１つだけにしても各空調装置の点検を行うことが可能である。この場合、各空調装置ごとに点検口を設ける場合と比べて構成の簡素化が図れる。
【００１８】
第６の発明の建物の空調システムは、第５の発明において、前記下側空間部から前記第１上側空間部へ通じる階段が設置されており、前記点検口は、前記第１上側空間部を囲む前記第１周囲壁に設けられていることを特徴とする。
【００１９】
本発明によれば、第１上側空間部を囲む第１周囲壁に点検口が設けられ、その点検口を通じて屋根裏空間に出入り可能となっている。この場合、点検口がいわゆる壁付けの点検口とされているため、屋根裏空間への出入りが容易であり、空調装置の点検作業をする上で都合がよい。
【図面の簡単な説明】
【００２０】
【図１】住宅の概略を示す概略図。
【図２】住宅内の間取りを示す平面図。
【図３】住宅の屋根裏部分を示す平面図。
【図４】住宅内の間取りを示す断面図。
【発明を実施するための形態】
【００２１】
以下に、本発明を具体化した一実施の形態について図面を参照しつつ説明する。なお、図１は住宅の概略を示す概略図である。
【００２２】
図１に示すように、住宅１０は、平屋建て（一階建て）の住宅とされており、基礎１１上に設けられた建物本体１２（一階部分）と、その建物本体１２の上方に配設された屋根部１３とを備える。屋根部１３は、切妻式の屋根により構成されている。
【００２３】
住宅１０には、屋内空間が形成されている。本住宅１０では、屋内空間として、建物本体１２に形成された下側空間部Ｘと、建物本体１２よりも上方の屋根裏部分１８に形成された上側空間部Ｙとを有している。下側空間部Ｘと上側空間部Ｙとは上下に連続した連続空間とされている。
【００２４】
建物本体１２において下側空間部Ｘの上方には天井部１５が設けられている。天井部１５は、下側空間部Ｘの天井面を形成しており、屋根部１３の下方に配置されている。天井部１５と屋根部１３との間には屋根裏空間１６が形成されている。屋根裏空間１６は、天井部１５により下側空間部Ｘと上下に区画されている。また、屋根裏空間１６は、屋根裏部分１８において上側空間部Ｙと隣接しており、その上側空間部Ｙとは壁部（詳しくは後述する周囲壁４４，５４）によって区画されている。
【００２５】
続いて、住宅１０内の間取りについて図１に加え図２を用いながら説明する。図２は住宅１０内の間取りを示す平面図である。図３は住宅１０の屋根裏部分１８を示す平面図である。図４は住宅１０内の間取りを示す断面図であり、図２のＡ−Ａ線断面図に相当する。
【００２６】
図２に示すように、住宅１０は、平面視において矩形形状（長方形状）をなしている。本住宅１０では、南側が住宅正面側、北側が住宅奥側となっている。住宅１０の正面側から奥側に向けた方向は住宅１０の奥行き方向であり、その奥行き方向と直交する方向は住宅１０の幅方向（間口方向）である。本住宅１０では、幅方向が奥行き方向よりも長い平面視長方形状となっている。
【００２７】
住宅１０内には、屋内空間として、住宅幅方向における中央部にリビングダイニング２１が設けられているとともに、そのリビングダイニング２１を挟んだ両側のうち一方側（東側）に玄関２２、クローゼット２３、廊下２４、寝室２５，２６及び書斎２７が設けられ、他方側（西側）にキッチン３１、廊下３２、トイレ３３、洗面室３４、寝室３５及び浴室３６が設けられている。リビングダイニング２１を除く各屋内空間２２〜２７，３１〜３６についてはいずれも下側空間部Ｘに相当する。
【００２８】
リビングダイニング２１は、住宅１０の奥行き方向（南北方向）に延びる空間となっており、詳しくは同方向の全域に亘って延びている。リビングダイニング２１は、住宅奥行き方向の一方側（南側）がリビング空間２１ａ、他方側（北側）がダイニング空間２１ｂとなっている。図３及び図４に示すように、リビング空間２１ａは、建物本体１２と屋根部１３とに跨がって上下に延びる吹き抜け空間となっている。リビング空間２１ａでは、天井部１５に吹き抜け開口部３７が形成されており、その吹き抜け開口部３７を介して同空間２１ａが上下に吹き抜けている。なお、リビング空間２１ａにおいて建物本体１２に形成された空間は下側空間部Ｘに相当し、屋根裏部分１８に形成された空間（以下、リビング上空間３９という）は上側空間部Ｙに相当する。
【００２９】
リビング上空間３９の周囲には同空間３９を囲むように周囲壁４４が設けられている。この周囲壁４４によりリビング上空間３９が屋根裏空間１６と区画されている。なお、リビング上空間３９が第２上側空間部に相当し、周囲壁４４が第２周囲壁に相当する。
【００３０】
図２に示すように、リビングダイニング２１に対して一方側（東側）には、玄関２２が設けられている。玄関２２には玄関口３８が設けられ、その玄関口３８を通じて住宅１０内への出入りが可能となっている。玄関２２にはクローゼット２３が隣接して設けられている。クローゼット２３は、靴等を収容可能であってかつ人の出入りが可能なウォークインクローゼットとなっている。玄関２２とクローゼット２３との間には出入口４１が設けられ、その出入口４１を通じて玄関２２からクローゼット２３への出入りが可能となっている。また、出入口４１には折り戸からなるドア４２が設けられている。ドア４２には、その下端がアンダーカットされる等して玄関２２とクローゼット２３とを連通する通気部４２ａが設けられている。
【００３１】
玄関２２は廊下２４に隣接しており、その廊下２４は各寝室２５，２６及び書斎２７にそれぞれ通じている。各寝室２５，２６は例えば子供の寝室となっている。廊下２４と各寝室２５，２６との間にはそれぞれ出入口４５，４６が設けられ、それらの出入口４５，４６を通じて廊下２４から各寝室２５，２６への出入りが可能とされている。また、各出入口４５，４６には、引き戸からなるドア４７，４８が設けられている。各ドア４７，４８には、寝室２５，２６と廊下２４とを連通するガラリ等の通気部４７ａ，４８ａが設けられている。
【００３２】
また、リビングダイニング２１に対して一方側では、上述した各屋内空間２１〜２７の他に、階段室２８が設けられている。階段室２８にはリビングダイニング２１（詳しくはダイニング空間２１ｂ）から出入りが可能となっており、その階段室２８はリビングダイニング２１と連続する空間となっている。詳しくは、階段室２８とリビングダイニング２１との間は連通部を介して互いに連通され、その連通部にはドア等の開閉体が設けられていない。したがって、両空間２１，２８は常時連通状態となっている。
【００３３】
階段室２８は、建物本体１２と屋根部１３とに跨って上下に延びる吹き抜け空間となっている。階段室２８には、屋根裏部分１８に設けられた収納室２９へ通じる階段５１が設置されている（図３及び図４参照）。この場合、この階段５１を通じて一階部分から収納室２９への出入りが可能となっている。ちなみに、階段室２８と収納室２９とは連通部を介して互いに連通されており、その連通部にはドア等の開閉体が設けられていない。したがって、これら両空間２８，２９は常時連通状態となっている。
【００３４】
収納室２９は、天井部１５と屋根部１３との間に形成されたいわゆる小屋裏収納室となっている。収納室２９は、玄関２２、クローゼット２３及び廊下２４の上方に形成されている。なお、この場合、収納室２９と、階段室２８において屋根裏部分１８に形成された空間部とを含んで上側空間部Ｙが構成され、その構成された上側空間部Ｙが第１上側空間部に相当する。その第１上側空間部の周囲には、同空間部を囲むように周囲壁５４が設けられている。この周囲壁５４により第１上側空間部が屋根裏空間１６と区画されている。また、階段室２８において建物本体１２に形成された空間部は下側空間部Ｘに相当する。なお、周囲壁５４が第１周囲壁に相当する。
【００３５】
屋根裏部分１８において、第１上側空間部の周囲壁５４は第２上側空間部（すなわちリビング上空間３９）の周囲壁４４と住宅幅方向に並んで配置されている。詳しくは、これら各周囲壁４４，５４は住宅幅方向に所定の隙間を隔てて互いに隣接している。この場合、これら隣接する各周囲壁４４，５４は住宅幅方向において略中央に位置しており、また住宅奥行き方向においても略中央に位置している。したがって、屋根裏空間１６は全体としてこれら各周囲壁４４，５４を囲むようにして形成されている。
【００３６】
図２の説明に戻って、リビングダイニング２１に対して他方側（西側）には、キッチン３１が設けられている。キッチン３１は廊下３２に隣接しており、その廊下３２はトイレ３３、洗面室３４及び寝室３５へそれぞれ通じている。洗面室３４には浴室３６が隣接している。また、寝室３５は、例えば親の主寝室となっている。
【００３７】
廊下３２と洗面室３４との間には出入口５２が設けられており、その出入口５２を通じて廊下３２から洗面室３４への出入りが可能となっている。出入口５２には、開き戸からなるドア５３が設けられている。ドア５３には、その下端がアンダーカットされる等して廊下３２と洗面室３４とを連通する通気部５３ａが設けられている。
【００３８】
廊下３２と寝室３５との間には出入口５５が設けられており、その出入口５５を通じて廊下３２から寝室３５への出入りが可能となっている。また、出入口５５には、引き戸からなるドア５６が設けられている。ドア５６には、廊下３２と寝室３５とを連通するガラリ等の通気部５６ａが設けられている。
【００３９】
ところで、本実施形態の住宅１０には、いわゆる全館空調システムが導入されている。以下においては、全館空調システムの構成について図３を用いながら説明する。
【００４０】
図３に示すように、全館空調システムは、第１空調装置６１と第２空調装置７１とを備え、これら２つの空調装置６１，７１より複数の屋内空間に空調空気（冷房空気又は暖房空気）を供給することで、それら複数の屋内空間の空調（冷房及び暖房）を行うものとなっている。全館空調システムは、大きく分けて第１空調装置６１を有して構成される第１空調システムと、第２空調装置７１を有して構成される第２空調システムとからなる。第１空調システムは、リビングダイニング２１よりも東側の屋内空間を空調対象としたシステムとなっており、その空調対象としてクローゼット２３、各寝室２５，２６及び収納室２９が設定されている。一方、第２空調システムは、リビングダイニング２１とそれよりも西側の屋内空間を空調対象としたシステムとなっており、その空調対象として上記リビングダイニング２１の他、キッチン３１、洗面室３４及び寝室３５が設定されている。
【００４１】
第１空調システムと第２空調システムとはいずれも屋根裏空間１６に導入されている。屋根裏空間１６は、第１エリアＥ１と第２エリアＥ２とに区分けされており、図３ではこれら各エリアＥ１，Ｅ２をそれぞれ点線で囲んで示している。これら各エリアＥ１，Ｅ２は、屋根裏空間１６に各空調システムを導入するにあたり、便宜上区分けした仮想のエリアとなっている。したがって、これらのエリアＥ１，Ｅ２は壁体等により視覚的に区画されているわけではない。但し、壁体等を設けて各エリアＥ１，Ｅ２を互いに区画するようにしてもよい。
【００４２】
第１エリアＥ１は、周囲壁５４を囲むように設定された平面視矩形のエリアである。第２エリアＥ２は、周囲壁４４を囲むように設定された平面視矩形のエリアである。これらのエリアＥ１，Ｅ２は、各周囲壁４４，５４が並ぶ方向（換言すると住宅幅方向）に隣接しており、各エリアＥ１，Ｅ２の境界部が各周囲壁４４，５４の間に設定されている。また、第１エリアＥ１は、屋根裏空間１６において各周囲壁４４，５４の並ぶ方向（壁並び方向）における周囲壁４４よりも周囲壁５４側の領域となっており、第２エリアＥ２は、壁並び方向における周囲壁５４よりも周囲壁４４側の領域となっている。
【００４３】
屋根裏空間１６において、第１空調システムは第１エリアＥ１に設けられ、第２空調システムは第２エリアＥ２に設けられている。以下、これら第１空調システム及び第２空調システムの構成について順に説明する。
【００４４】
まず、第１空調システムの構成について説明する。第１空調システムにおいて、第１空調装置６１は冷房機能及び暖房機能を有する室内機として構成されている。第１空調装置６１には還気ダクト６３が接続されており、その還気ダクト６３には還気グリル６４が接続されている。還気グリル６４は、廊下２４の天井部１５に設けられている。第１空調装置６１は、その還気グリル６４と還気ダクト６３とを介して廊下２４の空気を還気として取り込み、その取り込んだ還気をもとに空調空気（冷気又は暖気）を生成する。
【００４５】
第１空調装置６１には、複数の給気ダクト６６が接続されている。それら各給気ダクト６６にはそれぞれ給気グリル６７が接続されている。これらの給気グリル６７は、各寝室２５，２６の天井部１５と、クローゼット２３の天井部１５と、収納室２９（ひいては第１上側空間部）の周囲壁５４とにそれぞれ設けられている。この場合、各給気ダクト６６と各給気グリル６７とはいずれも第１エリアＥ１に配置されている。なお、各給気ダクト６６がそれぞれ第１ダクトに相当し、各給気グリル６７がそれぞれ第１吹出部に相当する。
【００４６】
第１空調装置６１により生成された空調空気は各給気ダクト６６を介して各々の給気グリル６７へ供給され、それら各給気グリル６７より給気として各寝室２５，２６、クローゼット２３及び収納室２９に吹き出される。これにより、それらの給気によって各屋内空間２３，２５，２６，２９の空調が行われる。
【００４７】
各寝室２５，２６に供給された空調空気は通気部４７ａ，４８ａを介して廊下２４に流れ込む。また、クローゼット２３に供給された空調空気は通気部４２ａを介して玄関２２へ流れ込み、その後廊下２４へ流れる。そして、廊下２４に流れ込んだこれらの空調空気は還気グリル６４より取り込まれ、その後還気ダクト６３を介して第１空調装置６１に取り込まれる。このように、第１空調システムは、屋内の空気を循環させながら空調を行う循環式の空調システムとなっている。なお、収納室２９に供給された空調空気は階段室２８を通じてリビングダイニング２１へと流れ、その後廊下３２へと流れて後述する還気グリル７４に取り込まれる。
【００４８】
続いて、第２空調システムの構成について説明する。
【００４９】
第２空調システムにおいて、第２空調装置７１は冷房機能及び暖房機能を有する室内機として構成されている。第２空調装置７１には還気ダクト７３が接続されており、その還気ダクト７３には還気グリル７４が接続されている。還気グリル７４は、廊下３２の天井部１５に設けられている。第２空調装置７１は、その還気グリル７４と還気ダクト７３とを介して廊下３２の空気を還気として取り込み、その取り込んだ還気をもとに空調空気（冷気又は暖気）を生成する。
【００５０】
第２空調装置７１には、複数の給気ダクト７６が接続されている。それら各給気ダクト７６にはそれぞれ給気グリル７７が接続されている。これらの給気グリル７７は、リビングダイニング２１（ダイニング空間２１ｂ）の天井部１５と、キッチン３１の天井部１５と、寝室３５の天井部１５と、洗面室３４の天井部１５と、リビング上空間３９の周囲壁４４とにそれぞれ設けられている。この場合、各給気ダクト７６と各給気グリル７７とはいずれも第２エリアＥ２に配置されている。なお、各給気ダクト７６がそれぞれ第２ダクトに相当し、各給気グリル７７がそれぞれ第２吹出部に相当する。
【００５１】
第２空調装置７１により生成された空調空気は各給気ダクト７６を介して各々の給気グリル７７へ供給され、それら各給気グリル７７より給気としてダイニング空間２１ｂ、キッチン３１、寝室３５、洗面室３４及びリビング上空間３９（ひいてはリビング空間２１ａ）に吹き出される。これにより、それらの給気によって各屋内空間２１ｂ，３１，３４，３５，３９の空調が行われる。
【００５２】
ダイニング空間２１ｂとキッチン３１とに供給された空調空気はそれぞれ廊下３２に流れ込む。また、寝室３５に供給された空調空気は通気部５６ａを介して廊下３２に流れ込み、洗面室３４に供給された空調空気は通気部５３ａを介して廊下３２に流れ込む。また、リビング上空間３９に供給された空調空気はダイニング空間２１ｂを経由して廊下３２に流れ込む。そして、廊下３２に流れ込んだこれらの空調空気は還気グリル７４より取り込まれ、その後還気ダクト７３を介して第２空調装置７１に取り込まれる。このように、第２空調システムは、屋内の空気を循環させながら空調を行う循環式の空調システムとなっている。
【００５３】
収納室２９の周囲壁５４には、空調装置６１，７１を点検する際に用いる点検口８１が設けられている。点検口８１は、収納室２９と屋根裏空間１６とを連通する開口部であり、点検扉８２により開閉可能とされている。空調装置６１，７１の点検をする際には、この点検口８１を通じて屋根裏空間１６に入り点検作業を行うこととなる。また、本住宅１０では、点検口８１が１つだけしか設けられていない。そのため、各空調装置６１，７１のうちいずれを点検する際にも、この点検口８１より屋根裏空間１６へ出入りすることになる。
【００５４】
以上、詳述した本実施形態の構成によれば、以下の優れた効果が得られる。
【００５５】
屋根裏部分１８に設けられた上側空間部Ｙは屋根下にあることから屋外からの熱の影響を受け易いと考えられる。そのため、上側空間部Ｙを空調対象に含めて空調装置６１，７１による空調を行う際には空調負荷が大きくなることが想定される。そこで、上記の実施形態では、この点に鑑み、第１空調装置６１より供給される空調空気を空調対象となる屋内空間へ搬送する複数の給気ダクト６６のうち、いずれかの給気ダクト６６については空調空気の搬送先を収納室２９（ひいては第１上側空間部）に設定し、第２空調装置７１より供給される空調空気を空調対象となる屋内空間へ搬送する複数の給気ダクト７６のうちいずれかの給気ダクト７６については空調空気の搬送先をリビング上空間３９（第２上側空間部に相当）に設定した。この場合、各上側空間部の空調がそれぞれ別々の空調装置６１，７１により行われることになるため、一方の空調装置に過大な空調負荷がかかるのを回避することができる。これにより、効率のよい空調を行うことが可能となる。
【００５６】
第１空調装置６１と第２空調装置７１とをいずれも屋根裏空間１６に設置した。また、第１空調装置６１より供給される空調空気の吹出部となる各給気グリル６７を屋根裏空間１６に面した（下側空間部の）天井部１５と（第１上側空間部の）周囲壁５４とに設け、第２空調装置７１より供給される空調空気の吹出部となる各給気グリル７７を屋根裏空間１６に面した（下側空間部の）天井部１５と（第２上側空間部の）周囲壁４４とに設けた。この場合、空調装置６１，７１と各給気グリル６７，７７とをつなぐ複数のダクト６６，７６を屋根裏空間１６に集約して配設することができるため、下側空間部Ｘと上側空間部Ｙとの双方に空調空気を搬送し空調を行う上記の構成にあって、ダクト６６，７６の取り回しをし易くすることができる。
【００５７】
また、各空調装置６１，７１を比較的広い屋根裏空間１６に配置するようにしたことで、空調装置６１，７１及びダクト６６，７６の配設態様に関し自由度を高めることができる。
【００５８】
屋根裏空間１６を、周囲壁５４を囲む第１エリアＥ１と、周囲壁４４を囲む第２エリアＥ２とに区分けし、第１エリアＥ１に第１空調装置６１と各給気グリル６７とを配置し、第２エリアＥ２に第２空調装置７１と各給気グリル７７とを配置した。この場合、各ダクト６６については第１エリアＥ１に配置され、各ダクト７６については第２エリアＥ２に配置されることになるため、これらのダクト６６，７６が周囲壁４４，５４の周りで並んで配置される事態を生じにくくすることができる。これにより、ダクト６６，７６の取り回しを含めた空調設計の容易化を図ることができる。
【００５９】
空調装置６１，７１を点検すべく、屋内空間から屋根裏空間１６へ出入りする際に用いる点検口８１を１つだけ設けた。第１空調装置６１と第２空調装置７１とがいずれも屋根裏空間１６に設置されている構成では、点検口８１が１つだけあれば各空調装置６１，７１の点検を行うことが可能である。この場合、各空調装置６１，７１ごとに点検口８１を設ける場合と比べて構成の簡素化が図れる。
【００６０】
点検口８１を、収納室２９（ひいては第１上側空間部）の周囲壁５４に設けることで壁付けの点検口とした。この場合、屋根裏空間１６への出入りが容易となり、空調装置６１，７１の点検作業をする上で都合がよい。
【００６１】
廊下３２に隣接するキッチン３１、洗面室３４及び寝室３５についていずれも第２空調装置７１による空調対象とした。この場合、廊下３２に隣接する各屋内空間３２，３４，３５を均一の温度で空調することが可能となるため、廊下３２を介して各屋内空間３２，３４，３５に出入りする際にヒートショックが生じるのを抑制することができる。
【００６２】
本発明は上記実施形態に限らず、例えば次のように実施されてもよい。
【００６３】
・上記実施形態では、屋根裏空間１６を２つのエリアＥ１，Ｅ２に区分けし、それら各エリアＥ１，Ｅ２に空調装置６１，７１を別々に設置したが、これを変更してもよい。例えば、屋根裏空間１６をエリアで区分けせず、２つの空調装置６１，７１を隣接させて配置してもよい。そうすれば、空調装置６１，７１のメンテナンスや点検をする上で好都合となる。
【００６４】
・点検口８１は必ずしも１つである必要はなく、２つ以上設けてもよい。また、点検口を天井部１５に設けてもよい。その場合、下側空間部Ｘより点検口を通じて屋根裏空間１６に出入りすることになる。
【００６５】
・上記実施形態では、各空調装置６１，７１を屋根裏空間１６に設けたが、これに代えて、床下空間に設けてもよい。また、屋内に空調装置用の機械室を設け、その機械室に各空調装置６１，７１を設置してもよい。これらの場合にも、給気ダクト６６，７６の一部を上側空間部に導くことで、当該上側空間部の空調を行うことができる。但し、給気ダクトの配設のし易さの点からすると、各空調装置６１，７１を屋根裏空間１６に設けて給気ダクト６６，７６を同空間１６に集約配置するのが望ましい。
【００６６】
・上記実施形態では、屋根裏部分１８に設けられる上側空間部が、吹き抜け空間の上側空間（リビング上空間３９）や小屋裏収納室（収納室２９）等となっていたが、上側空間部はその他の空間であってもよく、例えばロフトであってもよい。
【００６７】
・上記実施形態では、平屋建ての住宅（建物）に本発明の空調システムを適用したが、二階建て以上の建物に本発明を適用してもよい。
【符号の説明】
【００６８】
１０…建物としての住宅、１２…建物本体、１３…屋根部、１５…天井部、１６…屋根裏空間、１８…屋根裏部分、３９…第２上側空間部としてのリビング上空間、４４…第２周囲壁としての周囲壁、５４…第１周囲壁としての周囲壁、６１…第１空調装置、６６…第１ダクトとしての給気ダクト、６７…第１吹出部としての給気グリル、７１…第２空調装置、７６…第２ダクトとしての給気ダクト、７７…第２吹出部としての給気グリル、８１…点検口、Ｅ１…第１エリア、Ｅ２…第２エリア、Ｘ…下側空間部、Ｙ…上側空間部。
【図１】
2017058073.tif 000003
【図２】
2017058073.tif 000004
【図３】
2017058073.tif 000005
【図４】
2017058073.tif 000006